(57)【要約】【課題】本発明は、経済的であらゆるゴミ箱に適応することのでき、ゴミ袋を確実にゴミ箱に装着することのできる装着体付きゴミ袋及び該ゴミ袋の製造方法を提供することを課題とする。【解決手段】そして、本発明は上部、又は上部側側面に開口部を有するゴミ箱の開口部よりゴミ箱内部に挿入され、該ゴミ袋をゴミ箱に装着するためのゴミ袋であって、該ゴミ袋には、ゴミ袋の開口部上部側にゴミ箱の外周に強制的に係止すべく装着体が一体的に設けられていることである。【選択図】図１
2005324960.tif 000002
【特許請求の範囲】
【請求項１】
上部、又は上部側側面に開口部を有するゴミ箱の開口部よりゴミ箱内部に挿入され、該ゴミ袋をゴミ箱に装着するためのゴミ袋であって、該ゴミ袋には、ゴミ袋の開口部上部側にゴミ箱の外周に強制的に係止すべく装着体が一体的に設けられていることを特徴とする装着体付きゴミ袋。
【請求項２】
前記装着体が、弾性体で構成されている請求項１記載の装着体付きゴミ袋。
【請求項３】
ビニール等で一定の幅のある長尺帯体の、長尺縦方向両端側に一定の間隔でゴム等の弾性体を一体的に設ける工程と、該長尺帯体を長尺縦方向に沿ってその中央部分で２つに折り曲げて弾性体部分を重ね合わせる工程と、短尺横方向で一定の間隔を開けて加熱切断処理する工程とにより開口部側に弾性体からなる装着体の設けられたゴム袋を製造することを特徴とする装着体付きゴミ袋の製造方法。
【発明の詳細な説明】
【技術分野】
【０００１】本発明は、ゴミ袋をゴミ箱に取り付ける際に使用する装着体の設けられたゴミ袋及び該ゴミ袋の製造方法に関する。
【背景技術】
【０００２】従来より一般的な上部開放の筒状のゴミ箱には、ビニール製のゴミ袋の袋部分をゴミ箱の内部に装入し、ゴミ袋の開口部側をゴミ箱の開口部分で充分の長さ外側へ折り返すことで、ゴミ袋をゴミ箱に装着し直接的なゴミの汚れの防止や、ゴミを廃棄する作業の簡略化を図っている。【０００３】しかしながら、ゴミ箱の形状（底が深い場合、開口部が広い場合等）によりゴミ袋が適切に装入されない場合、又はゴミを大量にゴミ袋に入れた場合に、ゴミ袋がゴミ箱内に落ち込んで取り込まれることが起こる欠点があった。そこで、ゴミ袋をゴミ箱に装入する際ゴミ袋の上部側開口部をゴミ箱の開口部分で外側に折り返して取り付け、別体のリング状の留め具を外側よりゴミ袋の折り返し部分に装着することで上記欠点を防止していた（例えば、特許文献１参照）。
【特許文献１】実開平６−８７３０２号  公報
【発明の開示】
【発明が解決しようとする課題】
【０００４】しかしながら、上述のようなリング状の留め具は、使用に際してゴミ箱の美観等は保てるものの、ゴミ袋と別体であるために、ゴミ袋をゴミ箱に装着した後、ゴミ袋を抑えながら取り付ける必要がありその装着作業が煩雑であった。【０００５】また、ゴミ箱その形状、及び開口部分の大きさは一定でないためにそれぞれに応じた相違する留め具を用意する必要がありコストがかかり経済的でない。【０００６】さらに、ゴミ箱よりゴミ袋を取り外して破棄する際も、リング状の留め具をゴミ箱の開口部分より取り外し、ゴミ袋のみを破棄せねばならずその手間も煩雑であった。【０００７】そこで、本発明は、経済的であらゆるゴミ箱に適応することのでき、ゴミ袋を確実にゴミ箱に装着することのできる装着体付きゴミ袋及び該ゴミ袋の製造方法を提供することを目的とする。
【課題を解決するための手段】
【０００８】そして、本発明は上記目的を達成するために、上部、又は上部側側面に開口部を有するゴミ箱の開口部よりゴミ箱内部に挿入され、該ゴミ袋をゴミ箱に装着するためのゴミ袋であって、該ゴミ袋には、ゴミ袋の開口部上部側にゴミ箱の外周に強制的に係止すべく装着体が一体的に設けられていることを特徴とする。【０００９】また、装着体が、弾性体で構成されている。【００１０】ビニール等で一定の幅のある長尺帯体の、長尺縦方向両端側に一定の間隔でゴム等の弾性体を一体的に設ける工程と、該長尺帯体を長尺縦方向に沿ってその中央部分で２つに折り曲げて弾性体部分を重ね合わせる工程と、短尺横方向で一定の間隔を開けて加熱切断処理する工程とにより開口部側に弾性体からなる装着体の設けられたゴム袋を製造することを特徴とする。
【作用及び効果】
【００１１】本発明は、上部開口型ゴミ箱にゴミ袋を装入した後、該ゴミ袋の上部側をゴミ箱の開口部分で外側に折り返しすことで、ゴミ袋に一体的に設けられた装着体がゴミ箱の開口部分の外側に位置することとなり、ゴミ袋を強制的にゴミ箱に装着することができる。
【００１２】次に、ゴミ袋をゴミとともに破棄する際は、ゴミ箱の開口部分の外側の装着体を上方に引き上げることで該装着体がゴミ袋の開口部を塞ぐ状態となり、ゴミ袋毎容易に破棄することができる。
【００１３】また、ゴミ袋はビニール等で一定の幅のある長尺帯体の、長尺縦方向両端側に一定の間隔でゴム等の弾性体を一体的に設ける工程と、該長尺帯体を長尺縦方向に沿ってその中央部分で２つに折り曲げて弾性体部分を重ね合わせる工程と、短尺横方向で一定の間隔を開けて加熱切断処理する工程とにより、容易に製造することができる。
【００１４】このように、本発明の装着体付きゴミ袋は、装着体がゴミ袋の開口部側に一体的に設けられているために、ゴミ箱へのゴミ袋の装着が容易で、且つ確実に行え、しかも、ゴミ袋の破棄が開口部を閉めた状態で容易に行える。
【００１５】また、ゴミ袋の製造工程が簡易であるためにコストの面でも従来の別体の装着体を使用するのに比し、低コストである。
【発明の実施するための最良の形態】
【００１６】以下、本発明の装着体付きゴミ袋の一実施例を図面に沿って説明する。
図１は本発明の装着体付きゴミ袋の一実施例を示す概略説明斜視図であり、図２は図１のゴミ箱への使用状態を示す概略説明図であり、図３から図５はゴミ袋の製造工程を示す概略説明図である。
【００１７】１は通常のポリエチレン等で製造されたゴミ袋で、開口部２近傍には円形帯状で弾性体（ゴム）から装着体３が一体的に設けられている。前記装着体３の収縮によりゴミ袋１の開口部２はつねに閉じた状態を維持することができ、ゴミ袋１内にゴミを簡易に収納することができる。
【００１８】上記ゴミ袋１を製造する場合は、長尺帯状のポリエチレン等の材質のシート体１０の長尺方向（縦方向）にゴム等の弾性体１１を一体的に設ける工程と、該シート体１０をコンベアー等で移動しながら一定の長さで弾性体１１に垂直方向（横方向）で折り重ねる工程と、折り重ねたシート体１０縦方向及び横方向でそれぞれ加熱切断する工程とで容易に製造することができる。
【００１９】次に、上記構成及び製造されたゴミ袋１を使用し破棄する場合を説明する。
【００２０】例えば、公園等のゴミ箱５内にゴミ袋１の底部分を挿入した後、開口部２をダミ箱５の開口部分で外側に折り曲げて装着体３をゴミ箱５の外周に位置させることによりゴミ袋１を装着する。
【００２１】この状態で、ゴミがゴミ箱５内に集められることとなる。ゴミがゴミ袋１に一杯になると装着体３部分をゴミ箱５の外周より取り外すことで、装着体３がゴミ袋１の開口部２を閉じることとなる。
【００２２】従って、このままの状態で容易にゴミ袋１を廃棄することができる。そして、また新しいゴミ袋１を同様にしてゴミ箱５に装着する。このように、ゴミ箱５への装着、ゴミ袋１の廃棄が容易であり、公園管理上も手間、コストの削減を図ることが可能となる。
【図面の簡単な説明】
【００２３】
【図１】は、本発明の装着体付きゴミ袋の一実施例を示す概略説明斜視図。
【図２】は、図１のゴミ箱への使用状態を示す概略説明図。
【図３】は、ゴミ袋の製造工程を示す概略説明図。
【図４】は、ゴミ袋の製造工程を示す概略説明図。
【図５】は、ゴミ袋の製造工程を示す概略説明図。
【符号の説明】
【００２４】  １．ゴミ袋
２．開口部
３．装着体
５．ゴミ箱
【図１】
2005324960.tif 000003
【図２】
2005324960.tif 000004
【図３】
2005324960.tif 000005
【図４】
2005324960.tif 000006
【図５】
2005324960.tif 000007